(57)【要約】【課題】蓄熱媒体の冷熱または温熱を温調対象空間で直接的に有効利用する。【解決手段】空気調和装置（10）は、熱源（20）により冷却または加熱された温調用媒体が流れる伝熱管（46）と、蓄熱媒体を貯留すると共に伝熱管（46）が内部に配置される槽（32）とを備える。伝熱管（46）は、伝熱管（46）を流れる温調用媒体と槽（32）内の蓄熱媒体とを熱交換させる。槽（32）の少なくとも一部は、温調対象空間に露出する伝熱部（35,37,39〜41,44,45）が形成されている。空気調和装置（10）は、伝熱部（35,37,39〜41,44,45）が、少なくとも温調対象空間の空気と、槽（32）内で冷熱または温熱を蓄えた蓄熱媒体とを熱交換させる温調動作を行う。【選択図】図２
2020106154.tif 000002
【特許請求の範囲】
【請求項１】
温調用媒体の冷却および加熱の少なくとも一方を行う熱源（20）と、
上記熱源（20）により冷却または加熱された温調用媒体が流れる伝熱管（46）と、
蓄熱媒体を貯留すると共に上記伝熱管（46）が内部に配置される少なくとも１つの槽（32）とを備え、
上記伝熱管（46）は、該伝熱管（46）を流れる温調用媒体と上記槽（32）内の蓄熱媒体とを熱交換させるように構成され、
上記槽（32）の少なくとも一部は、温調対象空間に露出する伝熱部（35,37,39〜41,44,45）が形成されており、
上記伝熱部（35,37,39〜41,44,45）が、少なくとも上記温調対象空間の空気と、上記槽（32）内で冷熱または温熱を蓄えた蓄熱媒体とを熱交換させる温調動作を行うように構成されている
ことを特徴とする空気調和装置。
【請求項２】
請求項１において、
上記温調動作は、上記熱源（20）を停止した状態で上記伝熱部（35,37,39〜41,44,45）が上記温調対象空間の空気と上記冷熱または上記温熱を蓄えた蓄熱媒体とを熱交換させる第１動作を含む
ことを特徴とする空気調和装置。
【請求項３】
請求項１または２において、
上記温調動作は、上記熱源（20）により冷却または加熱された温調用媒体が上記伝熱管（46）を流れる状態で上記伝熱部（35,37,39〜41,44,45）が上記温調対象空間の空気と上記冷熱または上記温熱を蓄えた蓄熱媒体とを熱交換させる第２動作を含む
ことを特徴とする空気調和装置。
【請求項４】
請求項１〜３のいずれか１項において、
上記温調動作と異なる所定の時間帯に実行される蓄熱動作を行うように構成され、
上記蓄熱動作では、上記熱源（20）により冷却または加熱された温調用媒体が上記伝熱管（46）を流れ、上記蓄熱媒体に冷熱または温熱が蓄えられる
ことを特徴とする空気調和装置。
【請求項５】
請求項２において、
上記蓄熱媒体または上記伝熱部（35,37,39〜41,44,45）で冷却または加熱された空気を上記温調対象空間へ搬送するファン（51）を備え、
上記ファン（51）は、上記第１動作において駆動される
ことを特徴とする空気調和装置。
【請求項６】
請求項２において、
上記蓄熱媒体または上記伝熱部（35,37,39〜41,44,45）で冷却または加熱された空気を上記温調対象空間へ搬送するファン（51）を備え、
上記ファン（51）は、上記第１動作において停止される
ことを特徴とする空気調和装置。
【請求項７】
請求項３において、
上記蓄熱媒体または上記伝熱部（35,37,39〜41,44,45）で冷却または加熱された空気を上記温調対象空間へ搬送するファン（51）を備え、
上記ファン（51）は、上記第２動作において駆動される
ことを特徴とする空気調和装置。
【請求項８】
請求項４において、
上記蓄熱媒体または上記伝熱部（35,37,39〜41,44,45）で冷却または加熱された空気を上記温調対象空間へ搬送するファン（51）を備え、
上記ファン（51）は、上記蓄熱動作において停止される
ことを特徴とする空気調和装置。
【請求項９】
請求項１〜８のいずれか１項において、
上記伝熱管（46）は、上記温調対象空間の空気と上記冷熱を蓄えた蓄熱媒体とを熱交換させることで上記蓄熱媒体の少なくとも一部を凍結させるように構成され、
上記伝熱部（35,37,39〜41,44,45）の少なくとも一部は、透明または半透明の材料から構成されている
ことを特徴とする空気調和装置。
【請求項１０】
請求項９において、
上記伝熱部（35,37,39〜41,44,45）は、
透明または半透明の材料から構成された可視部（33）と、
上記可視部（33）よりも厚さ方向の熱抵抗が小さい伝熱促進部（34）とを有する
ことを特徴とする空気調和装置。
【請求項１１】
請求項１０において、
上記伝熱促進部（34）は、透明または半透明の材料から構成され、かつ上記可視部（33）よりも薄い
ことを特徴とする空気調和装置。
【請求項１２】
請求項１０において、
上記伝熱促進部（34）は、上記可視部（33）よりも熱伝導率が高い材料から構成されている
ことを特徴とする空気調和装置。
【請求項１３】
請求項９〜１２のいずれか１項において、
上記伝熱管（46）は、第１管部（49）と、該第１管部（49）よりも上側に位置する第２管部（47,48）とを有し、
上記第１管部（49）の周囲で凍結される上記蓄熱媒体の白濁度よりも、上記第２管部（47,48）の周囲で凍結される上記蓄熱媒体の白濁度の方が高い
ことを特徴とする空気調和装置。
【請求項１４】
請求項９〜１３のいずれか１項において、
凍結される上記蓄熱媒体の白濁度を調節するように上記伝熱管（46）の冷却能力を制御する制御部（25）を備える
ことを特徴とする空気調和装置。
【請求項１５】
請求項９〜１４のいずれか１項において、
凍結された上記蓄熱媒体に光を照射する光源（50）を備える
ことを特徴とする空気調和装置。
【請求項１６】
請求項１５において、
上記光源（50）は、上記槽（32）の下部に配置され、かつ上方に向かって光を照射する
ことを特徴とする空気調和装置。
【請求項１７】
請求項１〜４，９〜１６のいずれか１項において、
上記蓄熱媒体または上記伝熱部（35,37,39〜41,44,45）で冷却または加熱された空気を上記温調対象空間へ搬送するファン（51）を備える
ことを特徴とする空気調和装置。
【請求項１８】
請求項５〜８，１７のいずれか１項において、
上記温調対象空間に連通しかつ上記槽（32）の一部に面する通風路（64）を備え、
上記ファン（51）は、上記通風路（64）を経由して上記温調対象空間へ空気を搬送し、
上記槽（32）のうち上記通風路（64）に面する部分は、上記通風路（64）を流れる空気と、上記槽（32）内で冷熱または温熱を蓄えた蓄熱媒体とを熱交換させるように構成されている
ことを特徴とする空気調和装置。
【請求項１９】
請求項５〜８，１７，１８のいずれか１項において、
上記蓄熱媒体または上記伝熱部（35,37,39〜41,44,45）は、上記ファン（51）の吹出側に配置されている
ことを特徴とする空気調和装置。
【請求項２０】
請求項５〜８，１７，１８のいずれか１項において、
上記蓄熱媒体または上記伝熱部（35,37,39〜41,44,45）は、上記ファン（51）の吸込側に配置されている
ことを特徴とする空気調和装置。
【発明の詳細な説明】
【技術分野】
【０００１】
本開示は、空気調和装置に関するものである。
【背景技術】
【０００２】
従来より、製貯氷室を備えた冷却装置が知られている（例えば、特許文献１）。この冷却装置では、製貯氷室内の氷の冷熱によって空気が冷却され、冷却された空気がダクトを介して室内に供給される。
【先行技術文献】
【特許文献】
【０００３】
【特許文献１】特開平０６−０２６６７３号公報
【発明の概要】
【発明が解決しようとする課題】
【０００４】
ところで、上記の冷却装置では、製貯氷室が、冷却される空気が流れるダクトの途中に配置されている。このため、製貯氷室内の氷の冷熱を、ダクト内を流れる空気を介してしか利用できない。同様のことが、蓄熱媒体（例えば、氷）の冷熱の利用のみでなく、蓄熱媒体の温熱の利用にも当てはまる。
【０００５】
本開示の目的は、蓄熱媒体の冷熱または温熱を温調対象空間で直接的に有効利用することにある。
【課題を解決するための手段】
【０００６】
本開示の第１の態様は、空気調和装置（10）を対象とする。空気調和装置（10）は、温調用媒体の冷却および加熱の少なくとも一方を行う熱源（20）と、上記熱源（20）により冷却または加熱された温調用媒体が流れる伝熱管（46）と、蓄熱媒体を貯留すると共に上記伝熱管（46）が内部に配置される少なくとも１つの槽（32）とを備え、上記伝熱管（46）は、該伝熱管（46）を流れる温調用媒体と上記槽（32）内の蓄熱媒体とを熱交換させるように構成され、上記槽（32）の少なくとも一部は、温調対象空間に露出する伝熱部（35,37,39〜41,44,45）が形成されており、上記伝熱部（35,37,39〜41,44,45）が、少なくとも上記温調対象空間の空気と、上記槽（32）内で冷熱または温熱を蓄えた蓄熱媒体とを熱交換させる温調動作を行うように構成されている。
【０００７】
第１の態様では、熱源（20）により冷却または加熱された温調用媒体が伝熱管（46）の内部を流れる。伝熱管（46）は、内部を流れる温調用媒体と槽（32）内の蓄熱媒体とを熱交換させる。この熱交換により冷熱または温熱を蓄えた蓄熱媒体は、温調対象空間に露出した伝熱部（35,37,39〜41,44,45）を介して、少なくとも温調対象空間の空気と熱交換する。温調対象空間の空気は、温度が上がるかまたは下がる。これにより、温調対象空間が温調される。
【０００８】
ここで、槽（32）の伝熱部（35,37,39〜41,44,45）は、温調対象空間に露出している。このため、槽（32）内の蓄熱媒体の冷熱または温熱を、伝熱部（35,37,39〜41,44,45）を介して直接的に、温調対象空間の温調に有効利用できる。
【０００９】
本開示の第２の態様は、上記第１の態様において、上記温調動作は、上記熱源（20）を停止した状態で上記伝熱部（35,37,39〜41,44,45）が上記温調対象空間の空気と上記冷熱または上記温熱を蓄えた蓄熱媒体とを熱交換させる第１動作を含むことを特徴とする。
【００１０】
第２の態様では、空気調和装置（10）が、温調動作の第１動作を行う。第１動作では、冷熱または温熱を蓄えた蓄熱媒体が、伝熱部（35,37,39〜41,44,45）を介して、温調対象空間の空気と熱交換する。第１動作では、蓄熱媒体に冷熱または温熱は蓄えられない。
【００１１】
本開示の第３の態様は、上記第１または第２の態様において、上記温調動作は、上記熱源（20）により冷却または加熱された温調用媒体が上記伝熱管（46）を流れる状態で上記伝熱部（35,37,39〜41,44,45）が上記温調対象空間の空気と上記冷熱または上記温熱を蓄えた蓄熱媒体とを熱交換させる第２動作を含むことを特徴とする。
【００１２】
第３の態様では、空気調和装置（10）が、温調動作の第２動作を行う。第２動作では、冷熱または温熱を蓄えた蓄熱媒体が、伝熱部（35,37,39〜41,44,45）を介して、温調対象空間の空気と熱交換する。第２動作では、蓄熱媒体に冷熱または温熱が蓄えられる。
【００１３】
本開示の第４の態様は、上記第１〜第３の態様のいずれか１つにおいて、上記温調動作と異なる所定の時間帯に実行される蓄熱動作を行うように構成され、上記蓄熱動作では、上記熱源（20）により冷却または加熱された温調用媒体が上記伝熱管（46）を流れ、上記蓄熱媒体に冷熱または温熱が蓄えられることを特徴とする。
【００１４】
第４の態様では、伝熱管（46）を流れる温調用媒体により槽（32）内の蓄熱媒体が冷却または加熱される。これにより、蓄熱媒体に冷熱または温熱が蓄えられる。
【００１５】
本開示の第５の態様は、上記第２の態様において、上記蓄熱媒体または上記伝熱部（35,37,39〜41,44,45）で冷却または加熱された空気を上記温調対象空間へ搬送するファン（51）を備え、上記ファン（51）は、上記第１動作において駆動されることを特徴とする。
【００１６】
第５の態様では、第１動作において、蓄熱媒体または伝熱部（35,37,39〜41,44,45）で冷却または加熱された空気がファン（51）により温調対象空間へ搬送される。このため、温調対象空間の空気の冷却または加熱をより効率的に行うことができる。
【００１７】
本開示の第６の態様は、上記第２の態様において、上記蓄熱媒体または上記伝熱部（35,37,39〜41,44,45）で冷却または加熱された空気を上記温調対象空間へ搬送するファン（51）を備え、上記ファン（51）は、上記第１動作において停止されることを特徴とする。
【００１８】
第６の態様では、第１動作において、ファン（51）が停止される。熱源（20）およびファン（51）が停止された状態で、槽（32）内の蓄熱媒体に蓄えられた冷熱または温熱により温調対象空間の空気が冷却または加熱される。このとき、熱源（20）およびファン（51）が停止されるため、空気調和装置（10）における排熱および電力消費が実質的にない。
【００１９】
本開示の第７の態様は、上記第３の態様において、上記蓄熱媒体または上記伝熱部（35,37,39〜41,44,45）で冷却または加熱された空気を上記温調対象空間へ搬送するファン（51）を備え、上記ファン（51）は、上記第２動作において駆動されることを特徴とする。
【００２０】
第７の態様では、第２動作において、蓄熱媒体または伝熱部（35,37,39〜41,44,45）で冷却または加熱された空気がファン（51）により温調対象空間へ搬送される。このため、温調対象空間の空気の冷却または加熱をより効率的に行うことができる。
【００２１】
本開示の第８の態様は、上記第４の態様において、上記蓄熱媒体または上記伝熱部（35,37,39〜41,44,45）で冷却または加熱された空気を上記温調対象空間へ搬送するファン（51）を備え、上記ファン（51）は、上記蓄熱動作において停止されることを特徴とする。
【００２２】
第８の態様では、ファン（51）が停止されるので、蓄熱媒体の冷熱または温熱が実質的に利用されない。このため、蓄熱媒体に冷熱または温熱を効率的に蓄えることができる。
【００２３】
本開示の第９の態様は、上記第１〜第８の態様のいずれか１つにおいて、上記伝熱管（46）は、上記温調対象空間の空気と上記冷熱を蓄えた蓄熱媒体とを熱交換させることで上記蓄熱媒体の少なくとも一部を凍結させるように構成され、上記伝熱部（35,37,39〜41,44,45）の少なくとも一部は、透明または半透明の材料から構成されていることを特徴とする。
【００２４】
第９の態様では、温調対象空間にいる者が、当該温調対象空間に露出した伝熱部（35,37,39〜41,44,45）の少なくとも一部を介して、凍結した蓄熱媒体を視認できる。第８の態様によると、凍結した蓄熱媒体を視認する者に、涼しい印象を与えることができる。
【００２５】
本開示の第１０の態様は、上記第９の態様において、上記伝熱部（35,37,39〜41,44,45）は、透明または半透明の材料から構成された可視部（33）と、該可視部（33）よりも厚さ方向の熱抵抗が小さい伝熱促進部（34）とを有することを特徴とする。
【００２６】
第１０の態様では、可視部（33）を介して凍結した蓄熱媒体を視認する者に、涼しい印象を与えることができる。伝熱促進部（34）は、少なくとも温調対象空間の空気の熱を、可視部（33）よりも効率良く、蓄熱媒体に移動させ得る。第１１の態様によると、温調対象空間にいる者に、可視部（33）および伝熱促進部（34）の両方によって涼しい印象を与えることができる。
【００２７】
本開示の第１１の態様は、上記第１０の態様において、上記伝熱促進部（34）は、透明または半透明の材料から構成され、かつ上記可視部（33）よりも薄いことを特徴とする。
【００２８】
第１１の態様では、温調対象空間にいる者は、可視部（33）のみでなく伝熱促進部（34）を介しても、凍結した蓄熱媒体を視認し得る。温調対象空間にいる者に、可視部（33）および伝熱促進部（34）の両方により涼しい印象を与えることができる。
【００２９】
本開示の第１２の態様は、上記第１０の態様において、上記伝熱促進部（34）は、上記可視部（33）よりも熱伝導率が高い材料から構成されていることを特徴とする。
【００３０】
第１２の態様では、熱伝導率が高い材料で構成された伝熱促進部（34）を介して、少なくとも温調対象空間の空気の熱が蓄熱媒体へ効率的に移動する。温調対象空間にいる者に対して、涼しい印象をより一層与えることができる。
【００３１】
本開示の第１３の態様は、上記第９〜第１２の態様のいずれか１つにおいて、上記伝熱管（46）は、第１管部（49）と、該第１管部（49）よりも上側に位置する第２管部（47,48）とを有し、上記第１管部（49）の周囲で凍結される上記蓄熱媒体の白濁度よりも、上記第２管部（47,48）の周囲で凍結される上記蓄熱媒体の白濁度の方が高いことを特徴とする。
【００３２】
第１３の態様では、相対的に白濁度が高い状態で凍結した第２管部（47,48）の周囲の蓄熱媒体の方が、相対的に白濁度が低い状態で凍結した第１管部（49）の周囲の蓄熱媒体よりも、凍結状態にあることを目視で確認しやすい。このため、第２管部（47,48）の周囲で凍結した蓄熱媒体を視認する者に対して、涼しい印象をより一層与えることができる。
【００３３】
本開示の第１４の態様は、上記第９〜第１３の態様のいずれか１つにおいて、凍結される上記蓄熱媒体の白濁度を調節するように上記伝熱管（46）の冷却能力を制御する制御部（25）を備えることを特徴とする。
【００３４】
第１４の態様では、伝熱管（46）の冷却能力が高いほど、蓄熱媒体の白濁度が高くなる。これを利用して蓄熱媒体の白濁度を調節することにより、凍結した蓄熱媒体を視認する者に対して与える印象をコントロールすることができる。
【００３５】
本開示の第１５の態様は、上記第９〜第１４の態様のいずれか１つにおいて、凍結された上記蓄熱媒体に光を照射する光源（50）を備えることを特徴とする。
【００３６】
第１５の態様では、光源（50）の光によって、凍結した蓄熱媒体をライトアップすることができる。ライトアップされた凍結状態の蓄熱媒体を視認する者に対し、涼しい印象をより一層与えることができる。その涼しい印象は、光源（50）の光の色を調節することで高めることも可能である。
【００３７】
本開示の第１６の態様は、上記第１５の態様において、上記光源（50）は、上記槽（32）の下部に配置され、かつ上方に向かって光を照射することを特徴とする。
【００３８】
第１６の態様では、光源（50）が槽（32）の下部にあるので、槽（32）を視認する者の視界に光源（50）が入りにくい。このため、ライトアップされた凍結状態の蓄熱媒体を視認する者に対し、涼しい印象をより一層与えることができる。
【００３９】
なお、本明細書において、槽（32）の「下部」には、槽（32）の内部空間と、槽（32）の外部空間との両方が含まれる。より具体的に、槽（32）の「下部」には、槽（32）の内部空間のうち当該槽（32）の下端付近の領域と、槽（32）の外部空間のうち当該槽（32）の下端付近の領域との両方が含まれる。
【００４０】
本開示の第１７の態様は、上記第１〜第４、第９〜第１６の態様のいずれか１つにおいて、上記蓄熱媒体または上記伝熱部（35,37,39〜41,44,45）で冷却または加熱された空気を上記温調対象空間へ搬送するファン（51）を備えることを特徴とする。
【００４１】
第１７の態様では、冷却または加熱された空気が、ファン（51）により温調対象空間へ搬送される。このため、温調対象空間の温調をより効率的に行うことができる。
【００４２】
本開示の第１８の態様は、上記第５〜第８、第１７の態様のいずれか１つにおいて、上記温調対象空間に連通しかつ上記槽（32）の一部に面する通風路（64）を備え、上記ファン（51）は、上記通風路（64）を経由して上記温調対象空間へ空気を搬送し、上記槽（32）のうち上記通風路（64）に面する部分は、上記通風路（64）を流れる空気と、上記槽（32）内で冷熱または温熱を蓄えた蓄熱媒体とを熱交換させるように構成されていることを特徴とする。
【００４３】
第１８の態様では、ファン（51）により、空気が通風路（64）を流れる。通風路（64）を流れる空気は、冷熱または温熱を蓄えた蓄熱媒体と熱交換して冷却または加熱される。冷却または加熱された空気は、温調対象空間に搬送される。これにより、温調対象空間が温調される。
【００４４】
本開示の第１９の態様は、上記第５〜第８、第１７、第１８の態様のいずれか１つにおいて、上記蓄熱媒体または上記伝熱部（35,37,39〜41,44,45）は、上記ファン（51）の吹出側に配置されていることを特徴とする。
【００４５】
第１９の態様では、ファン（51）から吹き出された風に乗って、蓄熱媒体または伝熱部（35,37,39〜41,44,45）で冷却または加熱された空気が温調対象空間へ搬送される。
【００４６】
本開示の第２０の態様は、上記第５〜第８、第１７、第１８の態様のいずれか１つにおいて、上記蓄熱媒体または上記伝熱部（35,37,39〜41,44,45）は、上記ファン（51）の吸込側に配置されていることを特徴とする。
【００４７】
第２０の態様では、蓄熱媒体または伝熱部（35,37,39〜41,44,45）で冷却または加熱された空気が、ファン（51）に吸い込まれた後に温調対象空間へ搬送される。
【図面の簡単な説明】
【００４８】
【図１】図１は、実施形態１の空気調和装置の構成を概略的に示す冷媒回路図である。
【図２】図２は、実施形態１の利用側ユニットを示す斜視図である。
【図３】図３は、図２のIII−III線に沿った断面図である。
【図４】図４は、実施形態１の変形例１の利用側ユニットを示す断面図である。
【図５】図５は、実施形態１の変形例２の利用側ユニットを示す断面図である。
【図６】図６は、実施形態１の変形例３の利用側ユニットを示す断面図である。
【図７】図７は、実施形態１の変形例４の利用側ユニットを示す断面図である。
【図８】図８は、実施形態１の変形例５の利用側ユニットを示す斜視図である。
【図９】図９は、実施形態２の槽を示す斜視図である。
【図１０】図１０は、実施形態３の利用側ユニットを示す斜視図である。
【図１１】図１１は、実施形態４の空気調和装置の構成を概略的に示す冷媒回路図である。
【発明を実施するための形態】
【００４９】
《実施形態１》
実施形態１について説明する。本実施形態の空気調和装置（10）は、少なくとも温調対象空間の温調を行うためのものである。空気調和装置（10）は、蓄熱媒体に蓄えた冷熱により少なくとも温調対象空間の温調を行う蓄熱式の空気調和装置である。温調対象空間は、例えば室内空間であってもよい。
【００５０】
以下、空気調和装置（10）の全体的な構成について説明し、続けて利用側ユニット（30）の構成について詳しく説明する。
【００５１】
−空気調和装置の構成−
図１に示すように、空気調和装置（10）は、熱源側ユニット（20）と、利用側ユニット（30）とを備える。熱源側ユニット（20）は、温調対象空間以外の空間に配置される。利用側ユニット（30）は、温調対象空間に配置される。利用側ユニット（30）は、床面または地面に設置されることが好ましい。なお、熱源側ユニット（20）は、温調対象空間に配置されてもよい。熱源側ユニット（20）は、熱源を構成している。
【００５２】
熱源側ユニット（20）は、圧縮機（21）と、熱交換器（22）と、膨張弁（23）と、熱源側ファン（24）と、制御部（25）とを備える。利用側ユニット（30）は、槽（32）と、利用側ファン（51）とを備える。空気調和装置（10）では、圧縮機（21）、熱交換器（22）、膨張弁（23）、および槽（32）が、この順に冷媒配管で接続されて冷媒回路（11）を構成している。利用側ファン（51）は、ファンを構成している。冷媒は、温調用媒体の一例であって、例えばＲ３２冷媒であってもよい。
【００５３】
圧縮機（21）は、槽（32）から流出した低圧のガス冷媒を圧縮して高圧のガス冷媒を吐出する。圧縮機（21）が吐出した高圧のガス冷媒は、熱交換器（22）に流入する。圧縮機（21）は、例えば回転式圧縮機であってもよい。
【００５４】
熱交換器（22）は、内部を流れるガス冷媒と、熱源側ファン（24）によって供給される空気とを熱交換させる。熱交換器（22）では、ガス冷媒から空気に熱が移動する。熱交換器（22）は、例えばフィンアンドチューブ熱交換器であってもよい。
【００５５】
膨張弁（23）は、熱交換器（22）から流出した冷媒を減圧する。膨張弁（23）で減圧された冷媒は、槽（32）へ流入する。膨張弁（23）は、例えば開度調節可能な電子膨張弁であってもよい。
【００５６】
熱源側ファン（24）は、熱交換器（22）に空気を供給する。熱源側ファン（24）は、例えばプロペラファンであってもよい。
【００５７】
制御部（25）は、空気調和装置（10）の各構成要素の動作を制御する。制御部（25）は、例えば、圧縮機（21）、膨張弁（23）、熱源側ファン（24）、および利用側ファン（51）の動作を制御してもよい。制御部（25）は、ＣＰＵやメモリなどによって構成される。制御部（25）によると、空気調和装置（10）が、後述する冷却動作および冷蓄熱動作を実行し得る。
【００５８】
槽（32）は、伝熱管（46）を流れる冷媒と、内部に貯留された蓄熱媒体とを熱交換させる。槽（32）では、蓄熱媒体から冷媒に熱が移動する。蓄熱媒体は、例えば、水であってもよいし、水と不凍液の混合物であってもよい。蓄熱媒体は、冷却されることによって包接水和物が生成される蓄熱媒体であってもよい。
【００５９】
利用側ファン（51）は、槽（32）に空気を供給すると共に、槽（32）で冷却された空気を温調対象空間へ搬送する。利用側ファン（51）は、例えばシロッコファンであってもよい。
【００６０】
−利用側ユニットの構成−
図２および図３に示すように、利用側ユニット（30）は、基台（31）と、槽（32）と、利用側ファン（51）とを備える。便宜上、図２における左手前側または図３における左側を「前側」とし、その反対側を「後側」とする。便宜上、「右側」および「左側」は、利用側ユニット（30）を前側から見たときの方向とする。
【００６１】
基台（31）は、槽（32）が載置される台である。基台（31）は、中空の概ね直方体状になっている。基台（31）の内部空間には、利用側ファン（51）および複数の光源（50）が収容されている。基台（31）には、その内部空間と温調対象空間とを連通させる吹出口（31a）が形成されている。基台（31）には、その内部空間に空気を吸い込むための吸込口（31b）が形成されている。基台（31）には、各光源（50）の光を通過させるスリット（31c）が形成されている。
【００６２】
槽（32）は、少なくとも温調対象空間に冷熱を供給する。槽（32）は、前後方向にやや扁平な中空の概ね直方体状になっている。槽（32）の内部空間は、上方に開放された非密閉空間である。槽（32）の内部空間には、蓄熱媒体が貯留されている。なお、槽（32）の内部空間は、密閉空間であってもよい。
【００６３】
槽（32）は、前プレート（35）、後プレート（37）、右プレート（39）、左プレート（40）、および底プレート（42）を備える。前プレート（35）、後プレート（37）、右プレート（39）、左プレート（40）、および底プレート（42）によって、槽（32）の内部空間が区画されている。
【００６４】
各プレート（35,37,39,40,42）は、透明な材料で構成されている。透明な材料は、例えばアクリル、ポリカーボネート、塩化ビニール、ガラスであるが、これらに限定されるものではない。なお、各プレート（35,37,39,40,42）のうち任意のものが透明または半透明な材料で構成されていてもよい。
【００６５】
各プレート（35,37,39,40,42）は、底プレート（42）を除いて温調対象空間に露出している。底プレート（42）を除く各プレート（35,37,39,40）は、少なくとも温調対象空間の空気の熱を蓄熱媒体に移動させて当該温調対象空間を温調する。換言すると、底プレート（42）を除く各プレート（35,37,39,40）を介して、少なくとも温調対象空間の空気から槽（32）内の蓄熱媒体へ熱が移動して当該温調対象空間が温調される。前プレート（35）、後プレート（37）、右プレート（39）、および左プレート（40）は、温調対象空間にいる者の手が届く位置にあることが好ましい。前プレート（35）、後プレート（37）、右プレート（39）、および左プレート（40）は、伝熱部を構成している。
【００６６】
槽（32）は、可視部（33）と、伝熱促進部（34）とを備える。可視部（33）は、後プレート（37）で構成される。伝熱促進部（34）は、前プレート（35）と、右プレート（39）と、左プレート（40）とで構成される。
【００６７】
可視部（33）は、これを介して、温調対象空間にいる者が槽（32）内の蓄熱媒体を視認できる部分である。可視部（33）は、後プレート（37）からなる分厚い部分であるため、冷却動作時に霜が付きにくい。
【００６８】
伝熱促進部（34）は、可視部（33）よりも、温調対象空間の空気の熱を槽（32）内の蓄熱媒体に移動させやすい部分である。伝熱促進部（34）は、前プレート（35）、右プレート（39）、または左プレート（40）からなる薄い部分である。伝熱促進部（34）は、可視部（33）よりも薄い。伝熱促進部（34）は、可視部（33）よりも厚さ方向の熱抵抗が小さい。
【００６９】
槽（32）の内部には、２つの伝熱管（46）が設けられている。各伝熱管（46）の内部では、蓄熱媒体を凍結させる冷媒（温調用媒体）が流れる。なお、伝熱管（46）の数は、任意に変更されてもよい。
【００７０】
伝熱管（46）は、４つの直線部（47）と、１つのＵ字部（48）と、２つの下側Ｕ字部（49）とを備える。なお、これらの構成要素（47〜49）の数は、任意に変更されてもよい。
【００７１】
４つの直線部（47）は、槽（32）内で左右方向に等間隔で並んで設けられている。各直線部（47）は、上下方向に直線状に延びている。最も右側の直線部（47）には、熱交換器（22）から流出して膨張弁（23）を経由した冷媒が流入する。最も左側の直線部（47）から流出する冷媒は、圧縮機（21）へ流入する。各直線部（47）の上下方向長さは、槽（32）の内部空間の上下方向長さの半分以上であることが好ましい。各直線部（47）は、第２管部を構成している。
【００７２】
上側Ｕ字部（48）は、隣り合う２つの直線部（47）が対になるように、当該隣り合う２つの直線部（47）を互いに連通させる。各上側Ｕ字部（48）は、対応する直線部（47）の上側に設けられている。各上側Ｕ字部（48）は、対応する直線部（47）の上端と連通している。各上側Ｕ字部（48）は、隣り合う直線部（47）の上端同士を互いに連通させる。各上側Ｕ字部（48）は、第２管部を構成している。
【００７３】
２つの下側Ｕ字部（49）は、隣り合う２つの直線部（47）が対になるように、当該隣り合う２つの直線部（47）を互いに連通させる。各下側Ｕ字部（49）は、上側Ｕ字部（48）によって連通されていない隣り合う直線部（47）を互いに連通させる。各下側Ｕ字部（49）は、対応する直線部（47）の下側に設けられている。各下側Ｕ字部（49）は、対応する直線部（47）の下端と連通している。各下側Ｕ字部（49）は、隣り合う直線部（47）の下端同士を互いに連通させる。各下側Ｕ字部（49）は、第１管部を構成している。
【００７４】
複数（この例では、４つ）の光源（50）は、基台（31）の内部空間において、各下側Ｕ字部（49）の下方に１つずつ設けられている。各光源（50）は、例えば発光色を変えられるＬＥＤであってもよい。なお、各光源（50）は、槽（32）の内部空間における底プレート（42）近傍に設けられていてもよい。ここで述べた光源（50）の数および配置は、単なる例示である。
【００７５】
各光源（50）は、上方に向かって光を照射する。各光源（50）は、スリット（31c）を介して、凍結された蓄熱媒体に光を照射する。各光源（50）は、凍結していない蓄熱媒体に光を照射してもよい。
【００７６】
利用側ファン（51）は、基台（31）の内部空間に収容されている。利用側ファン（51）が生じる風は、基台（31）の吹出口（31a）を介して上方へ吹き出される。利用側ファン（51）の吹出側には、前プレート（35）が配置されている。利用側ファン（51）は、伝熱部を構成する前プレート（35）に向けて風を送る。
【００７７】
−空気調和装置の動作−
次に、空気調和装置（10）の動作について説明する。空気調和装置（10）は、冷却動作と冷蓄熱動作とを互いに異なる時間帯に実行する。いずれの動作をどの時間帯に実行するかは、制御部（25）によって決定される。例えば、空気調和装置（10）は、昼間に冷却動作を実行する一方、夜間に冷蓄熱動作を実行することが考えられる。冷却動作は、温調動作の一例であり、冷蓄熱動作は、蓄熱動作の一例である。
【００７８】
〈冷却動作〉
冷却動作は、第１動作と第２動作とを含む。制御部（25）は、第１動作と第２動作とを選択的に実行する。
【００７９】
第１動作は、熱源側ユニット（20）を停止した状態で利用側ファン（51）を駆動することにより、少なくとも温調対象空間の空気を冷却する動作である。制御部（25）は、第１動作において、熱源側ユニット（20）の圧縮機（21）および熱源側ファン（24）を停止する。制御部（25）は、第１動作において、利用側ユニット（30）の利用側ファン（51）を駆動または停止する。第１動作では、熱源ユニット（20）が停止されるため、空気調和装置（10）からの排熱が実質的にない。
【００８０】
第１動作では、前プレート（35）、後プレート（37）、右プレート（39）、および左プレート（40）を介して、少なくとも温調対象空間の空気から蓄熱媒体へ熱が移動する。これにより、少なくとも温調対象空間の空気が冷却される。なお、温調対象空間の空気に加えて、温調対象空間にある温調対象物が冷却されてもよい。温調対象物は、例えば人体であってもよい。
【００８１】
利用側ファン（51）が駆動される場合、温調対象空間の空気の冷却は、当該利用側ファン（51）によって促進される。利用側ファン（51）は、基台（31）の吹出口（31a）から上方に向かって風を送る。この風により、槽（32）の周囲で冷却された空気が温調対象空間で広がる。
【００８２】
利用側ファン（51）が停止される場合、空気調和装置（10）の消費電力が実質的にゼロになる。なぜなら、空気調和装置（10）において電力を消費する構成要素（具体的には、圧縮機（21）、熱源側ファン（24）、および利用側ファン（51））が停止されるためである。
【００８３】
第２動作は、熱源側ユニット（20）を動作させた状態で利用側ファン（51）を駆動することにより、蓄熱媒体に冷熱を蓄えると共に少なくとも温調対象空間の空気を冷却する動作である。制御部（25）は、第２動作において、熱源側ユニット（20）の圧縮機（21）および熱源側ファン（24）を駆動する。制御部（25）は、第２動作において、利用側ユニット（30）の利用側ファン（51）を駆動する。
【００８４】
第２動作において、圧縮機（21）は、高圧のガス冷媒を吐出する。圧縮機（21）が吐出した高圧のガス冷媒は、熱交換器（22）に流入する。熱交換器（22）では、内部を流れるガス冷媒から、熱源側ファン（24）によって供給された空気へ熱が移動する。これにより、冷媒が冷却される。熱交換器（22）から流出した冷媒は、膨張弁（23）により減圧された後、槽（32）に設けられた伝熱管（46）に流入する。槽（32）では、蓄熱媒体から伝熱管（46）内を流れる冷媒へ熱が移動する。これにより、槽（32）内の蓄熱媒体の少なくとも一部が凍結し、当該蓄熱媒体に冷熱が蓄えられる。なお、蓄熱媒体は、冷却されればよく、凍結されなくてもよい。伝熱管（46）から流出した冷媒は、圧縮機（21）に吸入される。このようなサイクルを繰り返すことで、第２動作では、熱源側ユニット（20）が槽（32）内の蓄熱媒体から熱を奪う。熱源側ユニット（20）が奪った熱は、熱交換器（22）で放出される。
【００８５】
第２動作において、制御部（25）は、蓄熱媒体を凍結させる場合に、凍結される蓄熱媒体の白濁度を調節するように伝熱管（46）の冷却能力を制御する。具体的に、制御部（25）は、圧縮機（21）の運転容量や膨張弁（23）の開度などを制御することにより、伝熱管（46）を流れる冷媒の温度および流量を調節する。伝熱管（46）を流れる冷媒の温度が低くかつ流量が多いほど、凍結される蓄熱媒体の白濁度は低くなる。伝熱管（46）を流れる冷媒の温度が高くかつ流量が少ないほど、凍結される蓄熱媒体の白濁度は高くなる。ここで、下側Ｕ字部（49）の周囲で凍結される蓄熱媒体の白濁度よりも、直線部（47）および上側Ｕ字部（48）の周囲で凍結される蓄熱媒体の白濁度の方が高い。
【００８６】
〈冷蓄熱動作〉
冷蓄熱動作は、熱源側ユニット（20）を動作させた状態で利用側ファン（51）を停止することにより、蓄熱媒体に冷熱を蓄える動作である。制御部（25）は、冷蓄熱動作において、熱源側ユニット（20）の圧縮機（21）および熱源側ファン（24）を駆動する。制御部（25）は、冷蓄熱動作において、利用側ユニット（30）の利用側ファン（51）を停止する。
【００８７】
冷蓄熱動作では、冷却動作の第２動作と同様にして、槽（32）内の蓄熱媒体に冷熱が蓄えられる。
【００８８】
−実施形態１の効果−
本実施形態の空気調和装置（10）は、温調用媒体の冷却を行う熱源ユニット（20）と、上記熱源ユニット（20）により冷却された温調用媒体が流れる伝熱管（46）と、蓄熱媒体を貯留すると共に上記伝熱管（46）が内部に配置される槽（32）とを備え、上記伝熱管（46）は、該伝熱管（46）を流れる温調用媒体と上記槽（32）内の蓄熱媒体とを熱交換させるように構成され、上記槽（32）の少なくとも一部は、温調対象空間に露出する伝熱部（35,37,39,40）が形成されており、上記伝熱部（35,37,39,40）が、少なくとも上記温調対象空間の空気と、上記槽（32）内で冷熱を蓄えた蓄熱媒体とを熱交換させる冷却動作を行うように構成されている。したがって、熱源ユニット（20）により冷却された温調用媒体が伝熱管（46）の内部を流れる。伝熱管（46）は、内部を流れる温調用媒体と槽（32）内の蓄熱媒体とを熱交換させる。この熱交換により冷熱を蓄えた蓄熱媒体は、温調対象空間に露出した伝熱部（35,37,39,40）を介して、少なくとも温調対象空間の空気と熱交換する。温調対象空間の空気は、温度が下がる。これにより、温調対象空間が温調される。ここで、槽（32）の伝熱部（35,37,39,40）を構成する前プレート（35）、後プレート（37）、右プレート（39）、および左プレート（40）は、温調対象空間に露出している。このため、槽（32）内の蓄熱媒体の冷熱を、伝熱部（35,37,39,40）を介して直接的に、温調対象空間の温調に有効利用できる。
【００８９】
また、本実施形態の空気調和装置（10）は、上記冷却動作が、上記熱源ユニット（20）を停止した状態で上記伝熱部（35,37,39,40）が上記温調対象空間の空気と上記冷熱を蓄えた蓄熱媒体とを熱交換させる第１動作を含む。したがって、空気調和装置（10）が、冷却動作の第１動作を行う。第１動作では、冷熱を蓄えた蓄熱媒体が、伝熱部（35,37,39,40）を介して、温調対象空間の空気から熱を奪う。第１動作では、蓄熱媒体に冷熱は蓄えられない。
【００９０】
また、本実施形態の空気調和装置（10）は、上記冷却動作が、上記熱源ユニット（20）により冷却された温調用媒体が上記伝熱管（46）を流れる状態で上記伝熱部（35,37,39,40）が上記温調対象空間の空気と上記冷熱を蓄えた蓄熱媒体とを熱交換させる第２動作を含む。したがって、空気調和装置（10）が、冷却動作の第２動作を行う。第２動作では、冷熱を蓄えた蓄熱媒体が、伝熱部（35,37,39,40）を介して、温調対象空間の空気から熱を奪う。第２動作では、蓄熱媒体に冷熱が蓄えられる。
【００９１】
また、本実施形態の空気調和装置（10）は、上記冷却動作と異なる所定の時間帯に実行される冷蓄熱動作を行うように構成され、上記冷蓄熱動作では、上記熱源ユニット（20）により冷却された温調用媒体が上記伝熱管（46）を流れ、上記蓄熱媒体に冷熱が蓄えられる。したがって、伝熱管（46）を流れる温調用媒体により槽（32）内の蓄熱媒体が冷却される。これにより、蓄熱媒体に冷熱が蓄えられる。
【００９２】
また、本実施形態の空気調和装置（10）は、上記蓄熱媒体または上記伝熱部（35,37,39,40）で冷却された空気を上記温調対象空間へ搬送する利用側ファン（51）を備え、上記利用側ファン（51）は、上記第１動作において駆動または停止される。したがって、利用側ファン（51）が駆動される場合、第１動作において、伝熱部（35,37,39,40）で冷却された空気が利用側ファン（51）により温調対象空間へ搬送される。このため、温調対象空間の空気の冷却をより効率的に行うことができる。一方、利用側ファン（51）が停止される場合、第１動作において、空気調和装置（10）の消費電力が実質的にゼロになる。なぜなら、空気調和装置（10）において電力を消費する構成要素（具体的には、圧縮機（21）、熱源側ファン（24）、および利用側ファン（51））が停止されるためである。そして、空気調和装置（10）の消費電力が実質的にゼロである状態でも、槽（32）の蓄熱媒体に蓄えられた冷熱によって温調対象空間の空気が冷却され得る。
【００９３】
また、本実施形態の空気調和装置（10）は、上記蓄熱媒体または上記伝熱部（35,37,39,40）で冷却された空気を上記温調対象空間へ搬送する利用側ファン（51）を備え、上記利用側ファン（51）は、上記第２動作において駆動される。したがって、第２動作において、蓄熱媒体または伝熱部（35,37,39,40）で冷却された空気が利用側ファン（51）により温調対象空間へ搬送される。このため、温調対象空間の空気の冷却をより効率的に行うことができる。
【００９４】
また、本実施形態の空気調和装置（10）は、上記蓄熱媒体または上記伝熱部（35,37,39,40）で冷却された空気を上記温調対象空間へ搬送する利用側ファン（51）を備え、上記利用側ファン（51）は、上記冷蓄熱動作において停止される。したがって、利用側ファン（51）が停止されるので、蓄熱媒体の冷熱が実質的に利用されない。このため、蓄熱媒体に冷熱を効率的に蓄えることができる。
【００９５】
また、本実施形態の空気調和装置（10）は、上記伝熱管（46）が、上記温調対象空間の空気と上記冷熱を蓄えた蓄熱媒体とを熱交換させることで上記蓄熱媒体の少なくとも一部を凍結させるように構成され、上記伝熱部（35,37,39,40）の少なくとも一部が、透明または半透明の材料から構成されている。したがって、温調対象空間にいる者が、当該温調対象空間に露出した伝熱部（35,37,39,40）の少なくとも一部を介して、凍結した蓄熱媒体を視認できる。本実施形態の空気調和装置（10）によると、凍結した蓄熱媒体を視認する者に、涼しい印象を与えることができる。
【００９６】
また、本実施形態の空気調和装置（10）は、上記伝熱部（35,37,39,40）が、透明または半透明の材料から構成された可視部（33）と、該可視部（33）よりも厚さ方向の熱抵抗が小さい伝熱促進部（34）とを有する。したがって、可視部（33）を介して凍結した蓄熱媒体を視認する者に、涼しい印象を与えることができる。伝熱促進部（34）は、少なくとも温調対象空間の空気の熱を、可視部（33）よりも効率良く、蓄熱媒体に移動させ得る。本実施形態の空気調和装置（10）によると、温調対象空間にいる者に、可視部（33）および伝熱促進部（34）の両方によって涼しい印象を与えることができる。
【００９７】
また、本実施形態の空気調和装置（10）は、上記伝熱促進部（34）が、透明または半透明の材料から構成され、かつ上記可視部（33）よりも薄い。したがって、温調対象空間にいる者は、可視部（33）のみでなく伝熱促進部（34）を介しても、凍結した蓄熱媒体を視認し得る。温調対象空間にいる者に、可視部（33）および伝熱促進部（34）の両方により涼しい印象を与えることができる。
【００９８】
また、本実施形態の空気調和装置（10）は、上記伝熱促進部（34）が、上記可視部（33）よりも熱伝導率が高い材料から構成されている。したがって、熱伝導率が高い材料で構成された伝熱促進部（34）を介して、少なくとも温調対象空間の空気の熱が蓄熱媒体へ効率的に移動する。温調対象空間にいる者に対して、涼しい印象をより一層与えることができる。
【００９９】
また、本実施形態の空気調和装置（10）は、上記伝熱管（46）が、下側Ｕ字部（49）と、該下側Ｕ字部（49）よりも上側に位置する直線部（47）および上側Ｕ治部（48）とを有し、上記下側Ｕ字部（49）の周囲で凍結される上記蓄熱媒体の白濁度よりも、上記直線部（47）および上記上側Ｕ字部（48）の周囲で凍結される上記蓄熱媒体の白濁度の方が高い。したがって、相対的に白濁度が高い状態で凍結した直線部（47）および上側Ｕ字部（48）の周囲の蓄熱媒体の方が、相対的に白濁度が低い状態で凍結した下側Ｕ字部（49）の周囲の蓄熱媒体よりも、凍結状態にあることを目視で確認しやすい。このため、直線部（47）および上側Ｕ字部（48）の周囲で凍結した蓄熱媒体を視認する者に対して、涼しい印象をより一層与えることができる。
【０１００】
また、本実施形態の空気調和装置（10）は、凍結される上記蓄熱媒体の白濁度を調節するように上記伝熱管（46）の冷却能力を制御する制御部（25）を備える。ここで、伝熱管（46）の冷却能力が高いほど、蓄熱媒体の白濁度が高くなる。これを利用して蓄熱媒体の白濁度を調節することにより、凍結した蓄熱媒体を視認する者に対して与える印象をコントロールすることができる。
【０１０１】
また、本実施形態の空気調和装置（10）は、凍結された上記蓄熱媒体に光を照射する光源（50）を備える。したがって、光源（50）の光によって、凍結した蓄熱媒体をライトアップすることができる。ライトアップされた凍結状態の蓄熱媒体を視認する者に対し、涼しい印象をより一層与えることができる。その涼しい印象は、光源（50）の光の色を調節することで高めることも可能である。
【０１０２】
また、本実施形態の空気調和装置（10）は、上記光源（50）が、上記槽（32）の下部に配置され、かつ上方に向かって光を照射する。したがって、光源（50）が槽（32）の下部にあるので、槽（32）を視認する者の視界に光源（50）が入りにくい。このため、ライトアップされた凍結状態の蓄熱媒体を視認する者に対し、涼しい印象をより一層与えることができる。
【０１０３】
また、本実施形態の空気調和装置（10）は、上記蓄熱媒体または上記伝熱部（35,37,39,40）で冷却された空気を上記温調対象空間へ搬送する利用側ファン（51）を備える。したがって、冷却された空気が、利用側ファン（51）により温調対象空間へ搬送される。このため、温調対象空間の温調をより効率的に行うことができる。
【０１０４】
また、本実施形態の空気調和装置（10）は、上記蓄熱媒体または上記伝熱部（35,37,39,40）が、上記利用側ファン（51）の吹出側に配置されている。したがって、利用側ファン（51）から吹き出された風に乗って、蓄熱媒体または伝熱部（35,37,39,40）で冷却された空気が温調対象空間へ搬送される。
【０１０５】
−実施形態１の変形例１−
実施形態１の変形例１について説明する。本変形例の空気調和装置（10）は、蓋体（60）および壁部材（63）を備える点が上記実施形態１と異なる。以下、上記実施形態１と異なる点について主に説明する。
【０１０６】
図４に示すように、利用側ユニット（30）は、槽（32）の上部に設けられた蓋体（60）と、蓋体（60）と基台（31）との間に設けられた壁部材（63）とを備える。
【０１０７】
蓋体（60）は、下方が開放された概ね直方体状の中空部材である。蓋体（60）は、槽（32）の上面との間に空間を形成するように当該槽（32）を上から覆っている。この蓋体（60）と槽（32）との間に形成された空間は、蓄熱媒体によって冷却された空気が溜まりまたは流れる。
【０１０８】
蓋体（60）は、矩形状の上板（61）と、この上板（61）の各辺から下方に延びる４つの側板（62）とを有する。各側板（62）には、蓄熱媒体によって冷却された空気を温調対象空間へ送るための開口（62a）が形成されている。なお、図４では、前側および後側の２つの側板（62）のみを図示している。
【０１０９】
壁部材（63）は、上下に延びる透明な板状部材である。壁部材（63）の上端は、蓋体（60）の前側の側板（62）の下端に接続している。壁部材（63）の下端は、基台（31）の上面の前端部に接続している。壁部材（63）の横断面は、前プレート（35）に向かって開口するＵ字状になっている。
【０１１０】
壁部材（63）と前プレート（35）との間には、利用側ファン（51）が吹き出す風が流れる通風路（64）が形成されている。通風路（64）の流入端は、吹出口（31a）に連通している。通風路（64）の流出端は、蓋体（60）と槽（32）の上面との間の空間を介して温調対象空間に連通している。通風路（64）は、槽（32）の前プレート（35）に面している。
【０１１１】
前プレート（35）は、温調対象空間に露出しておらず、通風路（64）に面している。前プレート（35）は、通風路（64）を流れる空気と、槽（32）内で冷熱を蓄えた蓄熱媒体とを熱交換させる。前プレート（35）は、槽（32）の一部である補助伝熱部を構成している。
【０１１２】
本変形例の空気調和装置（10）は、上記温調対象空間に連通しかつ上記槽（32）の前プレート（35）に面する通風路（64）を備え、上記利用側ファン（51）が、上記通風路（64）を経由して上記温調対象空間へ空気を搬送し、上記槽（32）の前プレート（35）が、上記通風路（64）を流れる空気と、上記槽（32）内で冷熱を蓄えた蓄熱媒体とを熱交換させるように構成されている。したがって、利用側ファン（51）により、空気が通風路（64）を流れる。通風路（64）を流れる空気は、冷熱を蓄えた蓄熱媒体と熱交換して冷却される。冷却された空気は、温調対象空間に搬送される。これにより、温調対象空間が温調される。
【０１１３】
−実施形態１の変形例２−
実施形態１の変形例２について説明する。本変形例の空気調和装置（10）は、利用側ファン（51）の配置が上記実施形態１の変形例１と異なる。以下、上記実施形態１の変形例１と異なる点について主に説明する。
【０１１４】
図５に示すように、利用側ファン（51）は、基台（31）の内部空間ではなく、蓋体（60）と槽（32）との間の空間に配置されている。換言すると、利用側ファン（51）の吸込側に、蓄熱媒体および伝熱部が配置されている。利用側ファン（51）が駆動されると、空気が通風路（64）を流れる。通風路（64）を流れる空気は、槽（32）内の蓄熱媒体と熱交換して冷却される。冷却された空気は、蓋体（60）の開口（62a）を介して温調対象空間に送られる。
【０１１５】
−実施形態１の変形例３−
実施形態１の変形例３について説明する。本変形例の空気調和装置（10）は、槽（32）の数が上記実施形態１と異なる。以下、上記実施形態１と異なる点について主に説明する。
【０１１６】
図６に示すように、利用側ユニット（30）は、６つの槽（32）を備える。６つの槽（32）は、上下に２つ、左右に３つ並んで配置されている。
【０１１７】
各槽（32）は、透明な材料で構成された前プレート（35）を備える。前プレート（35）は、可視部（33）を構成している。
【０１１８】
各槽（32）の後プレート（37）、右プレート（39）、および左プレート（40）は、前プレート（35）を構成する材料よりも熱伝導率が高い材料から構成されている。当該材料は、例えばステンレス、アルミニウム、銅、チタン、ガラス、大理石、セラミックなどの無機系の材料であるが、これらに限定されるものではない。各槽（32）の後プレート（37）、右プレート（39）、および左プレート（40）は、伝熱促進部（34）を構成している。
【０１１９】
各槽（32）の内部には、伝熱管（46）が設けられている。各槽（32）の伝熱管（46）は、互いに直列に接続されていてもよいし、互いに並列に接続されていてもよい。
【０１２０】
各槽（32）の下には、光源箱（52）が設けられている。各光源箱（52）には、光源が収容されている。各光源箱（52）の光源の光の色は、任意に設定されてもよい。例えば、上段の３つの槽（32）に対応する光源の光の色が黄色であると共に、下段の３つの槽（32）に対応する光源の光の色が青色であることが考えられる。各槽（32）に対応する光源の光の色が互いに異なることも考えられる。
【０１２１】
−実施形態１の変形例４−
実施形態１の変形例４について説明する。本変形例の空気調和装置（10）は、槽（32）の構成が上記実施形態１と異なる。以下、上記実施形態１と異なる点について主に説明する。
【０１２２】
図７に示すように、槽（32）は、透明な材料で構成された円筒状の側面プレート（44）を備える。側面プレート（44）の厚みは、全周にわたって実質的に一定である。側面プレート（44）および上プレート（41）は、可視部（33）を構成している。
【０１２３】
槽（32）の下には、光源箱（52）が設けられている。光源箱（52）には、光源が収容されている。
【０１２４】
伝熱管（46）は、側面プレート（44）の内周面に沿って配置されている。ただし、伝熱管（46）の配置は、これに限られるものではない。
【０１２５】
−実施形態１の変形例５−
実施形態１の変形例５について説明する。本変形例の空気調和装置（10）は、槽（32）の数が上記実施形態１と異なる。以下、上記実施形態１と異なる点について主に説明する。
【０１２６】
図８に示すように、利用側ユニット（30）は、４つの槽（32）を備える。４つの槽（32）は、左右方向に並んで設けられている。
【０１２７】
各槽（32）は、透明な材料で構成された円筒状の側面プレート（44）を備える。側面プレート（44）の厚みは、全周にわたって実質的に一定である。側面プレート（44）は、可視部（33）を構成している。
【０１２８】
なお、少なくとも１つの槽（32）の側面プレート（44）は、透明な材料よりも熱伝導率が高い材料で構成されていてもよい。そのような熱伝導率が高い材料で構成された側面プレート（44）は、伝熱促進部（34）を構成する。
【０１２９】
また、少なくとも１つの槽（32）の側面プレート（44）は、一部が透明な材料で構成され、かつ残部が透明な材料よりも熱伝導率が高い材料で構成されていてもよい。そのような側面プレート（44）において、透明な材料で構成された部分は可視部（33）を構成し、熱伝導率が高い材料で構成された部分は伝熱促進部（34）を構成する。
【０１３０】
各槽（32）の内部には、伝熱管（46）が設けられている。各槽（32）の伝熱管（46）は、槽（32）の上に設けられた天板（55）を介して、互いに接続されている。
【０１３１】
４つの槽（32）の下には、共通の光源箱（52）が設けられている。光源箱（52）には、光源が収容されている。
【０１３２】
《実施形態２》
実施形態２について説明する。本実施形態の空気調和装置（10）は、槽（32）の構成が上記実施形態１と異なる。以下、上記実施形態１と異なる点について主に説明する。
【０１３３】
図９に示すように、槽（32）の前プレート（35）、後プレート（37）、右プレート（39）、左プレート（40）、上プレート（41）、および底プレート（42）は、透明な材料よりも熱伝導率が高い材料、例えば金属材料などの無機系の材料で構成されている。各プレート（35,37,39〜42）は、伝熱促進部（34）を構成している。
【０１３４】
前プレート（35）の上半部には、矩形状の貫通孔（35a）が形成されている。この貫通孔（35a）には、透明な材料で構成された窓プレート（45）が嵌められている。窓プレート（45）は、可視部（33）を構成している。なお、貫通孔（35a）および窓プレート（45）の形状および数は、任意に設定されてもよい。
【０１３５】
−実施形態２の効果−
本実施形態の空気調和装置（10）によっても、上記実施形態１と同様の効果が得られる。
【０１３６】
本実施形態の空気調和装置（10）は、上記伝熱促進部（34）が、上記可視部（33）よりも熱伝導率が高い材料から構成されている。したがって、熱伝導率が高い材料で構成された伝熱促進部（34）を介して、少なくとも温調対象空間の空気の熱が蓄熱媒体へ効率的に移動する。温調対象空間にいる者に対して、涼しい印象をより一層与えることができる。
【０１３７】
《実施形態３》
実施形態３について説明する。本実施形態の空気調和装置（10）は、利用側ユニット（30）の構成が上記実施形態１と異なる。以下、上記実施形態１と異なる点について主に説明する。
【０１３８】
図１０に示すように、利用側ユニット（30）は、１つの槽（32）と、１つの水熱交換器（53）と、不図示のファンとを備える。
【０１３９】
水熱交換器（53）は、槽（32）の下に設けられている。水熱交換器（53）の内部には、水伝熱管（54）が設けられている。水伝熱管（54）は、槽（32）の底プレート（42）に形成された２つの連通穴（図示せず）を介して、槽（32）の内部空間に連通している。水熱交換器（53）は、連通穴を介して槽（32）から水伝熱管（54）へ流入した蓄熱媒体と、ファンによって供給される空気とを熱交換させる。ファンによって供給された空気は、水熱交換器（53）で冷却された後、温調対象空間へ搬送される。
【０１４０】
《実施形態４》
実施形態４について説明する。本実施形態の空気調和装置（10）は、少なくとも温調対象空間の温調を行うためのものである。空気調和装置（10）は、蓄熱媒体に蓄えた温熱により少なくとも温調対象空間の温調を行う蓄熱式の空気調和装置である。温調対象空間は、例えば室内空間であってもよい。
【０１４１】
−空気調和装置の構成−
図１１に示すように、空気調和装置（10）は、熱源側ユニット（20）と、利用側ユニット（30）とを備える。熱源側ユニット（20）は、温調対象空間以外の空間に配置される。利用側ユニット（30）は、温調対象空間に配置される。利用側ユニット（30）は、床面または地面に設置されることが好ましい。利用側ユニット（30）の構成は、上記実施形態１と同様である。なお、熱源側ユニット（20）は、温調対象空間に配置されてもよい。熱源側ユニット（20）は、熱源を構成している。
【０１４２】
熱源側ユニット（20）は、圧縮機（21）と、熱交換器（22）と、膨張弁（23）と、熱源側ファン（24）と、制御部（25）とを備える。利用側ユニット（30）は、槽（32）と、利用側ファン（51）とを備える。空気調和装置（10）では、圧縮機（21）、槽（32）、膨張弁（23）、および熱交換器（22）が、この順に冷媒配管で接続されて冷媒回路（11）を構成している。利用側ファン（51）は、ファンを構成している。冷媒は、温調用媒体の一例であって、例えばＲ３２冷媒であってもよい。
【０１４３】
圧縮機（21）は、熱交換器（22）から流出した低圧のガス冷媒を圧縮して高圧のガス冷媒を吐出する。圧縮機（21）が吐出した高圧のガス冷媒は、槽（32）に流入する。圧縮機（21）は、例えば回転式圧縮機であってもよい。
【０１４４】
熱交換器（22）は、内部を流れる冷媒と、熱源側ファン（24）によって供給される空気とを熱交換させる。熱交換器（22）では、空気から冷媒に熱が移動する。熱交換器（22）は、例えばフィンアンドチューブ熱交換器であってもよい。
【０１４５】
膨張弁（23）は、槽（32）から流出した冷媒を減圧する。膨張弁（23）で減圧された冷媒は、熱交換器（22）へ流入する。膨張弁（23）は、例えば開度調節可能な電子膨張弁であってもよい。
【０１４６】
熱源側ファン（24）は、熱交換器（22）に空気を供給する。熱源側ファン（24）は、例えばプロペラファンであってもよい。
【０１４７】
制御部（25）は、空気調和装置（10）の各構成要素の動作を制御する。制御部（25）は、例えば、圧縮機（21）、膨張弁（23）、熱源側ファン（24）、および利用側ファン（51）の動作を制御してもよい。制御部（25）は、ＣＰＵやメモリなどによって構成される。制御部（25）によると、空気調和装置（10）が、後述する加熱動作および温蓄熱動作を実行し得る。
【０１４８】
槽（32）は、伝熱管（46）を流れるガス冷媒と、内部に貯留された蓄熱媒体とを熱交換させる。槽（32）では、ガス冷媒から蓄熱媒体へ熱が移動する。蓄熱媒体は、例えば、水であってもよいし、水と不凍液の混合物であってもよい。蓄熱媒体は、冷却されることによって包接水和物が生成される蓄熱媒体であってもよい。
【０１４９】
利用側ファン（51）は、槽（32）に空気を供給すると共に、槽（32）で加熱された空気を温調対象空間へ搬送する。利用側ファン（51）は、例えばシロッコファンであってもよい。
【０１５０】
−空気調和装置の動作−
次に、空気調和装置（10）の動作について説明する。空気調和装置（10）は、加熱動作と温蓄熱動作とを互いに異なる時間帯に実行する。いずれの動作をどの時間帯に実行するかは、制御部（25）によって決定される。例えば、空気調和装置（10）は、昼間に加熱動作を実行する一方、夜間に温蓄熱動作を実行することが考えられる。加熱動作は、温調動作の一例であり、温蓄熱動作は、蓄熱動作の一例である。
【０１５１】
〈加熱動作〉
加熱動作は、第１動作と第２動作とを含む。制御部（25）は、第１動作と第２動作とを選択的に実行する。
【０１５２】
第１動作は、熱源側ユニット（20）を停止した状態で利用側ファン（51）を駆動することにより、少なくとも温調対象空間の空気を加熱する動作である。制御部（25）は、第１動作において、熱源側ユニット（20）の圧縮機（21）および熱源側ファン（24）を停止する。制御部（25）は、第１動作において、利用側ユニット（30）の利用側ファン（51）を駆動または停止する。
【０１５３】
第１動作では、前プレート（35）、後プレート（37）、右プレート（39）、および左プレート（40）を介して、蓄熱媒体から少なくとも温調対象空間の空気へ熱が移動する。これにより、少なくとも温調対象空間の空気が加熱される。なお、温調対象空間の空気に加えて、温調対象空間にある温調対象物が加熱されてもよい。温調対象物は、例えば人体であってもよい。
【０１５４】
利用側ファン（51）が駆動される場合、温調対象空間の空気の加熱は、当該利用側ファン（51）によって促進される。利用側ファン（51）は、基台（31）の吹出口（31a）から上方に向かって風を送る。この風により、槽（32）の周囲で加熱された空気が温調対象空間で広がる。
【０１５５】
利用側ファン（51）が停止される場合、空気調和装置（10）の消費電力が実質的にゼロになる。なぜなら、空気調和装置（10）において電力を消費する構成要素（具体的には、圧縮機（21）、熱源側ファン（24）、および利用側ファン（51））が停止されるためである。
【０１５６】
第２動作は、熱源側ユニット（20）を動作させた状態で利用側ファン（51）を駆動することにより、蓄熱媒体に温熱を蓄えると共に少なくとも温調対象空間の空気を加熱する動作である。制御部（25）は、第２動作において、熱源側ユニット（20）の圧縮機（21）および熱源側ファン（24）を駆動する。制御部（25）は、第２動作において、利用側ユニット（30）の利用側ファン（51）を駆動する。
【０１５７】
第２動作において、圧縮機（21）は、高圧のガス冷媒を吐出する。圧縮機（21）が吐出した高圧のガス冷媒は、槽（32）に設けられた伝熱管（46）に流入する。槽（32）では、伝熱管（46）内を流れるガス冷媒から蓄熱媒体へ熱が移動する。これにより、槽（32）内の蓄熱媒体に温熱が蓄えられる。槽（32）から流出した冷媒は、膨張弁（23）により減圧された後、熱交換器（22）に流入する。熱交換器（22）では、熱源側ファン（24）によって供給された空気から、内部を流れる冷媒へ熱が移動する。これにより、冷媒が加熱される。熱交換器（22）から流出した冷媒は、圧縮機（21）に吸入される。このようなサイクルを繰り返すことで、第２動作では、熱源側ユニット（20）が槽（32）内の蓄熱媒体に熱を与える。
【０１５８】
〈温蓄熱動作〉
温蓄熱動作は、熱源側ユニット（20）を動作させた状態で利用側ファン（51）を停止することにより、蓄熱媒体に温熱を蓄える動作である。制御部（25）は、温蓄熱動作において、熱源側ユニット（20）の圧縮機（21）および熱源側ファン（24）を駆動する。制御部（25）は、温蓄熱動作において、利用側ユニット（30）の利用側ファン（51）を停止する。
【０１５９】
温蓄熱動作では、加熱動作の第２動作と同様にして、槽（32）内の蓄熱媒体に温熱が蓄えられる。
【０１６０】
−実施形態４の効果−
本実施形態の空気調和装置（10）によっても、上記実施形態１と同様の効果が得られる。
【０１６１】
また、本実施形態の空気調和装置（10）は、上記伝熱部（35,37,39,40）が、上記温調対象空間の空気と、上記温熱を蓄えた蓄熱媒体とを熱交換させる加熱動作を行うように構成されている。したがって、温熱を蓄えた蓄熱媒体は、温調対象空間に露出した伝熱部（35,37,39,40）を介して、温調対象空間の空気に熱を与える。温調対象空間の空気は、温度が上がる。
【０１６２】
《その他の実施形態》
上記実施形態については、以下のような構成としてもよい。
【０１６３】
例えば、槽（32）の各プレート（35,37,39〜42,44）は、これらのうち任意のものの少なくとも一部が温調対象空間に露出していればよい。この場合、当該露出する部分が、伝熱部を構成する。非限定的な例として、槽（32）が壁面に埋め込まれ、槽（32）の前プレート（35）のみが温調対象空間に露出しているものが考えられる。
【０１６４】
例えば、槽（32）は、全体が透明な材料よりも熱伝導率が高い材料で構成されていてもよい。当該材料は、例えばステンレス、アルミニウム、銅、チタン、ガラス、大理石、セラミックなどの無機系の材料であるが、これらに限定されるものではない。
【０１６５】
例えば、槽（32）は、前プレート（35）、後プレート（37）、右プレート（39）、左プレート（40）、上プレート（41）、および底プレート（42）のうち一部が透明な材料で構成され、かつ残部が透明な材料よりも熱伝導率が高い材料で構成されていてもよい。
【０１６６】
例えば、槽（32）は、各プレート（35,37,39〜42,44）のうち任意のものが、透明な材料で構成された第１板状部材と、多数の貫通孔が形成され、透明な材料よりも熱伝導率が高い材料で構成された第２板状部材とを重ね合わせて構成されていてもよい。
【０１６７】
例えば、利用側ユニット（30）は、槽（32）内の蓄熱媒体が流れる水伝熱管が内蔵された冷却板を備えてもよい。この場合、冷却板は、透明な材料よりも熱伝導率が高い材料、例えば石材や金属材料などの無機系の材料で構成されていることが好ましい。
【０１６８】
例えば、伝熱管（46）の直線部（47）は、左右方向に延びていてもよい。この場合、光源（50）を槽（32）の右側部および左側部の少なくとも一方に設けることが好ましい。ここで、槽（32）の「右側部」および「左側部」には、槽（32）の内部空間と、槽（32）の外部空間との両方が含まれる。より具体的に、槽（32）の「右側部」には、槽（32）の内部空間のうち当該槽（32）の右側面付近の領域と、槽（32）の外部空間のうち当該槽（32）の右側面付近の領域との両方が含まれる。槽（32）の「左側部」には、槽（32）の内部空間のうち当該槽（32）の左側面付近の領域と、槽（32）の外部空間のうち当該槽（32）の左側面付近の領域との両方が含まれる。
【０１６９】
例えば、利用側ユニット（30）は、形状または大きさが互いに異なる複数の槽（32）を備えていてもよい。
【０１７０】
例えば、利用側ユニット（30）は、利用側ファン（51）を備えていなくてもよい。
【０１７１】
例えば、槽（32）の形状、伝熱管（46）の形状、可視部（33）の形状および配置、ならびに伝熱促進部（34）の形状および配置は、任意に設計されてもよい。
【０１７２】
例えば、熱源側ユニット（20）は、利用側ユニット（30）の基台（31）内に収容されていてもよい。
【０１７３】
例えば、制御部（25）は、利用側ユニット（30）に設けられていてもよいし、熱源側ユニット（20）および利用側ユニット（30）の両方に設けられていてもよい。
【０１７４】
例えば、空気調和装置（10）は、冷却動作および加熱動作の両方を実行できるように構成されていてもよい。この場合、冷媒回路（11）に、例えば四方切換弁が設けられる。
【０１７５】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【０１７６】
以上説明したように、本開示は、空気調和装置について有用である。
【符号の説明】
【０１７７】
10  空気調和装置
20  熱源側ユニット（熱源）
25  制御部
32  槽
33  可視部
34  伝熱促進部
35  前プレート（伝熱部）
37  後プレート（伝熱部）
39  右プレート（伝熱部）
40  左プレート（伝熱部）
41  上プレート（伝熱部）
44  側面プレート（伝熱部）
45  窓プレート（伝熱部）
46  伝熱管
47  直線部（第２管部）
48  上側Ｕ字部（第２管部）
49  下側Ｕ字部（第１管部）
50  光源
51  利用側ファン（ファン）
【図１】
2020106154.tif 000003
【図２】
2020106154.tif 000004
【図３】
2020106154.tif 000005
【図４】
2020106154.tif 000006
【図５】
2020106154.tif 000007
【図６】
2020106154.tif 000008
【図７】
2020106154.tif 000009
【図８】
2020106154.tif 000010
【図９】
2020106154.tif 000011
【図１０】
2020106154.tif 000012
【図１１】
2020106154.tif 000013